(57)【特許請求の範囲】
【請求項１】
少なくとも２つの製品（３、１５）を集合包装するためのパッケージ（１）であって、少なくとも一端が開口しているか又は開口することができる、可撓性のシート（４）の長手方向の両端をつなぎ合わせ固定して得られる袖部（２）を有し、当該袖部（２）は、組立てられた状態で第一の製品（３）を収容可能な第一の区画（２）を画定し、当該パッケージは、第一の区画の外側にあって第二の製品（１５）を収容可能な第二の区画（１２）を有し、当該第二の区画（１２）は第一の区画（２）に入り込んで開口している開口部（１３）を有し、第一の製品（３）は当該開口部の片側に完全に収容され、第二の製品（１５）は、第１の区画に収容される第１の製品によって支持されることにより第２の区画部内の適切な位置に保持されて当該開口部（１３）の他方の側に完全に収容されるパッケージ。
【請求項２】
袖部（２）の内側断面は、その両端間に渡る少なくとも１つの部分に渡って、第一製品（３）の外側断面に対応していることを特徴とする請求項１に記載のパッケージ（１）。
【請求項３】
第一の区画（２）の形状はほぼ円筒状であることを特徴とする請求項１又は２に記載のパッケージ（１）。
【請求項４】
第二の区画（１２）の容積は、第一の区画（２）の容積より小さく、その開口部（１３）は、（ｉ）袖部（２）の断面が円形等の角を有さない場合に、当該袖部の湾曲と同じ湾曲率の平面に広がるか又は、（ｉｉ）袖部（２）の断面が長方形等の多角形である場合に、当該袖部の少なくとも１面からなる平面に少なくとも部分的に広がることを特徴とする請求項１に記載のパッケージ（１）。
【請求項５】
第二の区画（１２）は、第一の区画（２）に対して着脱可能であることを特徴とする請求項１乃至４のいずれか１項に記載のパッケージ（１）。
【請求項６】
第二の区画（１２）は、第一の区画（２）に配置された製品（３）によって第一の区画（２）に対して適切な位置に保持されていることを特徴とする請求項５に記載のパッケージ（１）。
【請求項７】
可撓性あるシート（４）には開口（１１）が貫通して形成されており、その内側の端には第二の区画（１２）の縁（１４）が載っていることを特徴とする請求項５又は６に記載のパッケージ（１）。
【請求項８】
第一の区画（２）は第一の物質から形成され、第二の区画（１２）が第一の物質と同一又は異なる物質から形成されることを特徴とする請求項１乃至７のいずれか１項に記載のパッケージ（１）。
【請求項９】
第二の区画（１２）は、材料、好ましくはビニル（ポリ塩化ビニル（ＰＶＣ）及びそのコポリマー）、スチレン、メタクリル又はセルロースタイプ又はポリカーボネート等の透明な物質、を熱成形して得られることを特徴とする請求項１乃至８のいずれか１項に記載のパッケージ（１）。
【請求項１０】
単体として形成され、第二の区画（１２）は、熱作用の下で上記可撓性あるシート（４）を変形して形成されることを特徴とする請求項１乃至４のいずれか１項に記載のパッケージ（１）。
【請求項１１】
上記可撓性あるシート（４）は、熱可塑性物質であって、好適にはポリ塩化ビニル（ＰＶＣ）等の透明な熱可塑性物質であることを特徴とする請求項１乃至１０のいずれか１項に記載のパッケージ（１）。
【請求項１２】
袖部（２）は円筒状で、両端が開口していることを特徴とする請求項１乃至１１のいずれか１項に記載のパッケージ（１）。
【請求項１３】
袖部（２）の断面は、四角形等の多角形であることを特徴とする請求項１２に記載のパッケージ（１）。
【請求項１４】
袖部（２）の断面は、円形等の角を有さないものであることを特徴とする請求項１２に記載のパッケージ（１）。
【請求項１５】
可撓性あるシートの長手方向の両端は、接着又は溶接によって固定されていることを特徴とする請求項１乃至１４のいずれか１項に記載のパッケージ（１）。
【請求項１６】
上記長手方向の両端は、複数の折り目（５−８）にそって折り曲げられていることによって合わさっていることを特徴とする請求項１乃至１５のいずれか１項に記載のパッケージ（１）。
【請求項１７】
（ｉ）  第一の部材（１２）と第二の部材（２）は例えば着脱可能に取り付けられており、それぞれ第二の区画と第一の区画を画定していることと、（ｉｉ)  第一の部材（１２）と第二の部材（２）は、異なる厚さ及び／又は異なる物質のシートから形成されていることを特徴とする請求項１に記載のパッケージ（１）。
【請求項１８】
化粧用途の第一の製品（３）と、当該第一の製品の用途と同一又は異なる化粧用途の第二の製品（１５）を包装するための請求項１乃至１７の何れか１項に記載のパッケージ（１）の使用方法。
【請求項１９】
少なくとも２つの製品（３、１５）を集合包装するためのパッケージ（１）であって、少なくとも一端が開口しているか又は開口することができる、可撓性のシート（４）の長手方向の両端をつなぎ合わせ固定して得られる袖部（２）を有し、当該袖部（２）は、組立てられた状態で第一の製品（３）を収容可能な第一の区画（２）を画定し、当該パッケージは、第一の区画の外側にあって第二の製品（１５）を収容可能な第二の区画（１２）を有し、当該第二の区画（１２）は第一の区画（２）に入り込んで開口している開口部（１３）を有し、第二の区画の容積が第一の区画の容積よりも小さく、該第二の製品（１５）は、第１の区画に収容される第１の製品によって支持されることにより第２の区画部内の適切な位置に保持されているパッケージ（１）。
【請求項２０】
少なくとも２つの製品（３、１５）を集合包装するためのパッケージ（１）であって、少なくとも一端が開口しているか又は開口することができる、可撓性のシート（４）の長手方向の両端をつなぎ合わせ固定して得られる袖部（２）を有し、当該袖部（２）は、組立てられた状態で第一の製品（３）を収容可能な第一の区画（２）を画定し、当該パッケージは、第一の区画の外側にあって第二の製品（１５）を収容可能な第二の区画（１２）を有し、当該第二の区画（１２）は第一の区画（２）に入り込んで開口している開口部（１３）を有し、当該袖部（２）の内側断面は、その両端の間に延びる少なくとも１部分に渡り、第一の製品（３）の外側断面に対応しており、第二の製品（１５）は、第１の区画に収容される第１の製品によって支持されることにより第２の区画部内の適切な位置に保持されているパッケージ（１）。
【発明の詳細な説明】
【０００１】
【発明の属する技術分野】
本発明は、例えば、衛生用製品、毛髪染色用製品、ヘアスタイリング用製品、メークアップ用製品、ケア用製品又は個人衛生用製品等の化粧品等の少なくとも２つの製品を合わせて提供するために使用される包装に関する。
【０００２】
【従来の技術と発明が解決しようとする課題】
特に化粧品では、販売促進活動の過程で主製品とは一般的に異なる無料の広告用品又はサンプルが特定の製品に添付されるのが通常である。このように、一般に小さなサイズのヘアスプレイ缶が毛髪染色用製品と抱き合わせにされことがある。他の１例としては、メークアップ製品がヘアスプレイと抱き合わせにされる。
【０００３】
ここで問題となるのが２つの製品を合わせて提供することであり、しかも単純且つ経済的な方法でそれをすることである。当然、各製品をその製品に適したパッケージ、特に厚紙でできた箱にそれぞれ別個に包装してもよい。
【０００４】
米国特許第３３６９６６０号には、１足の靴を提供するためのパッケージが記載されている。該パッケージは、対角線に沿う二重の仕切りによって２区画に分割された、平行６面体の袖部を有する。
【０００５】
第一の靴は上記仕切りの上に配置され、その一部は袖部の第一の大面に形成された開口部を介して、第一の収容部に延びる。
【０００６】
第二の靴は上記仕切りの下に配置され、その一部は、袖の上記第一の大面とは反対の第二の大面に形成された開口部を介して第二の収容部に延びる。
【０００７】
パッケージの残りを組立てて支持仕切りを作らねばならないので、容器の目的である靴の収容と合わせて、このようなパッケージを組立てることは、非常に手間がかかる。
【０００８】
熱収縮物質からなる袖部を使用し、その内側に２つの製品を包装する集合包装も周知の慣行である。
【０００９】
ここで、本発明の目的の１つは、少なくとも２つの製品を抱き合わせて提供するためのパッケージを提供することであって、従来のシステムを参照しながら上記で議論した問題を完全に又は部分的に解決することである。
【００１０】
本発明が特に目的とするのは、実施が簡単且つ経済的な集合パッケージを製造することである。
【００１１】
他の目的についても以下の詳細な説明で明らかにする。
【００１２】
【課題を解決するための手段】
これらの目的は、本発明による、少なくとも２つの製品を合わせて提供するためのパッケージにより解決される。当該パッケージは、その端の少なくとも１方で開口しているか又は開口することができる袖部を有し、当該袖部は柔軟性のある１枚のシートの長手方向の２つの端を合わせるか又は合わせて固定することによってつくられており、また組立てた状態では、袖部は第一の製品を収容できる第一の区画を画定する。該パッケージは、第一の区画に対して外側にあり、第ニの製品を収容することができる第二の区画を有し、該第二の区画は第一の区画に対して開く開口部を有する。当該パッケージにより、第一の製品は開口部の一方の側に完全に収容され、第二の製品は開口部の他方の側に完全に収容される。
【００１３】
換言すれば、第一の製品は、実質上第二の区画に入り込まない。第二の製品は、実質上第一の区画に入り込まない。
【００１４】
上記の構造は、平行６面体の箱が（対角線に配置した仕切りの上に）第一の靴の第一の部分と（当該仕切りの下に）第二の靴の第一の部分の両方を含む上記米国特許第３３６９６６０号に記載されたものと相違する。また、米国特許第３３６９６６０号に記載された構造では、両方の靴とも、それぞれが収納された区画を飛び出し、開口部平面から、ほぼその長手方向の中央平面で突き出している。
【００１５】
第一の製品の断面全体が少なくとも高さ部分に渡って第一の区画に含まれ、第二の製品の断面全体が少なくとも高さ部分に渡って第二の区画に含まれている、本発明に係る構造によれば、本発明に係るパッケージをずっと簡単に製造し、組立てることができる。更に、第二の区画に含まれている製品が第一の区画に含まれている製品によって適切な位置で保持されることが可能となる。
【００１６】
好適には、袖部の２つの端部間に広がる少なくとも１部分に渡って、袖部の内側断面は、第一の製品の外側断面に対応している。
【００１７】
「対応する」との表現は、形状と大きさの点で類似していることを意味する。このように、第二の製品を第二の区画に挿入するのに続いて、第一の製品をこの袖部へ袖部の開口から挿入することが可能であり、そうすることでこの製品は摩擦及び／又は軽い把持力によってそこに保持される。袖部の内側表面と第一製品の外側表面の間により大きな空白がある場合には、袖部の両端を閉止することも可能である。
【００１８】
袖部の高さは、第一の製品の高さより短くてもよく、この場合製品はその高さの一部分に渡ってだけ把持される。しかし、好適には、袖部の高さは第一の製品の高さと同等が望ましい。
【００１９】
好適には、袖部は、円筒状であり、回転軸に対する対称性を有しても有さなくてもよい。このように、第一の区画は、円形、楕円形、長方形、正方形、六角形、八角形の断面を有してもよく、他のいかなる形状を有していてもよい。
【００２０】
円筒形状であることによって、パッケージの製造や包装する対象製品の嵌入がずっと容易となる。
【００２１】
故に、その構造のため、そのようなパッケージは実施が簡単で経済的である。その外観は化粧品市場等の市場の要求に耐え得る。
【００２２】
有利には、第二の区画の容積は第一の区画容積より小さく、その開口部は、（ｉ）袖部の断面が円形等の角を有さない場合に、当該袖部と同じ湾曲率の平面に広がるか又は、（ｉｉ）袖部の断面が長方形等の多角形である場合に、当該袖部の少なくとも１面からなる平面に少なくとも部分的に広がる。
【００２３】
有利には、第二の製品は、第一の製品によって第二の区画の内部の適切な位置で保持される。この特徴のため、そのようなパッケージの設計が大幅に単純化される。
【００２４】
また、開口部を閉止するために、特に熱により封止される薄膜の形態の部材を使用してもよい。
【００２５】
第一の実施態様によると、第二の区画は第一の区画に対して着脱可能である。従って、第二の区画を製造するために、第二の製品が単独で提供される場合にそれを包装するために使用される（特に熱成形された鞘形状の）パッケージを使用することが可能である。同様に、第一の製品が単独で提供される場合にそれを包装するために使用される袖部を、単にそこに適切な大きさと形状の凹部を作ることによって、抱き合わせ包装のために使用することもできる。そのため、２つの製品の抱き合わせ包装には、それらを個別に包装するときに必要なもの以外に、特別な型や設備を必要としない。
【００２６】
第二の区画が第一の区画に対して着脱可能な構造では、第二の区画は、第一の区画に収容される製品によって第一の区画に対して適切な位置に保持される。
【００２７】
２つの区画は、同一又は異なる物質から製造されてもよい。一方は、袖部を形成するために必要な折り曲げ作業に適したより可撓性ある物質で、他方は、第二の区画を形成するための熱成形に適したより硬い物質である。
【００２８】
両区画が同一の物質から製造される場合の硬度の差異は、厚さの相違に起因する。
【００２９】
有利には、可撓性あるシートには開口部が貫通して形成されており、その内側の端には第二の区画の縁が載っている。
【００３０】
好適な実施態様では、第二の区画は、ビニル（ポリ塩化ビニル（ＰＶＣ）及びそのコポリマー）、スチレン、メタクリル又はセルロースタイプ又はポリカーボネート等の物質であって好ましくは透明物質を熱成形して得られる。
【００３１】
第二の実施態様によると、本発明のパッケージは、単体として形成され、第二の区画は、熱作用の下で可撓性あるシートを変形して形成される。第二の区画を形成するためにシートを熱塑性変形後、シートは折り曲げ可能となるので、シートは、例えば長手方向の１端に隣接した縁部を介して、長手方向の両端部にそって溶接又は接着される。
【００３２】
物質が熱成形するのに充分な硬度を有する場合には、可撓性あるシートを折り曲げることを容易にするための手段を適宜提供することが必要な場合が生じるかもしれない。そのような手段は、ミシン目の点線であるか、折り目に沿って物質を軟化させるために道具を使用してシートにつけた折り目跡であってもよい。
【００３３】
可撓性あるシートは、熱可塑性プラスティック、好適には、ポリ塩化ビニル（ＰＶＣ）等の透明な熱可塑性プラスティックであってもよい。
【００３４】
好適には、袖部は、円筒状で、両端が開口している。そのような袖部は、四角形等の多角形の断面を有してもよく、又は、例えば円形又は楕円形など角がないものであってもよい。
【００３５】
可撓性あるシートの長手方向の両端部は、特に熱による溶接又は高頻度溶接等の溶接又は接着によって固定することができる。
【００３６】
上記で述べたように、長手方向の両端部は、複数の折り目に沿って折り曲げることによって１つに合わせてもよい。
【００３７】
特定の実施態様によると、（ｉ）第一の部材と第二の部材は、詳細には着脱可能に、取り付けられており、それぞれ第二の区画と第一の区画を画定し、（ｉｉ）第一の部材と第二の部材は異なる厚さ及び／又は異なる物質のシートから形成されている。
【００３８】
本発明のパッケージは、特に、化粧用途の第一製品と、当該第一製品の用途と同一又は異なる化粧用途の第二製品の集合包装に非常に適している。しかし、第一及び第二製品の用途が化粧用途以外であってもよい。
【００３９】
本発明は、上述した条件に加えて、添付図面を参照して記載された非限定的な実施形態に関連して以下に説明する多数の他の条件からなる。
【００４０】
【発明の実施の形態】
図１（ａ）及び（ｂ）に記載されたパッケージ１は、両端が開口した平行６面体状の袖部２を有しており、当該袖部２には、その内側容積と同等の容積を有する箱状の（例えば毛髪染色キット等を含む）製品３が収容される。袖部２は、ＰＶＣからなる長方形のシート４を４つの長手方向の線５−８に沿って折り曲げ、折り目６に隣接した縁９を介して２つの長手方向の端部を溶接することによって製造される。接着にはアセテート接着剤を使用してもよい。シート４の厚さは、約２２０μｍである。
【００４１】
袖部２の大面１０には、袖部２の長手方向にのびる開口部１１が貫通して形成されている。パッケージ１の構成要素としてはまた、半円筒を形成し、縦長の開口部１３を有する、熱成形された鞘１２が有り、当該開口部１３はそれが形成された平面に形成された縁部１４によって画定されており、縁部１４の外側断面は開口部１１の断面より大きい。鞘１２は、第一の製品と共に提供される第二の製品１５を収容する。記載の例では、第二の製品１５は、ヘアスプレイの缶である。
【００４２】
鞘１２は、熱成形されることができるものならいかなる物質から出来てもよい。例えば、（袖部を作成するために使用されるものよりも厚い）ＰＶＣが使用される。鞘に使用されるＰＶＣの厚さは、約５００μｍである。
【００４３】
物体１は、以下のようにして組立てられる。袖部２を形成してから、製品１５が入った鞘１２を、袖部２にその開口端の１つを通して入れ、縁１４が開口部１１を画定する端と係合するように嵌めこむ。その後、製品３を袖部２に滑り込ませるだけでよく、このようにして熱成形された鞘１２内で製品１５が固定される。図１（ｂ）には、組立てられたパッケージの断面図が記載されている。
【００４４】
袖部２に一方の端を、箱３の後ろフラップの１つに他方の端を置く粘着ラベル（図示せず）を貼付することにより、パッケージが開封されたことを示す標識としてもよい。更に、そのようなラベルには、特にバーコードの形態で識別コードが表示されていてもよい。あるいは、製品３が第二の製品と別個に販売された場合にはそれを識別する識別コード、特にバーコードを製品３に直接付し、ラベルはそれを隠すようにして貼付されていてもよい。
【００４５】
図２（ａ）乃至（ｂ）に記載のパッケージ１の構成は、その全体的形状とそれが収容する製品を除いて先の実施態様と類似している。当該実施態様によると、袖部２は、回転軸に対して対称な円筒を形成する。製品３に含まれる製品はヘアスプレイである。熱成形した鞘１２に含まれる製品は、睫毛、眉毛、又は毛髪のためのマスカラユニットである。
【００４６】
当該物体は、前の実施態様での組立て作業と同様にして組立てられる。
【００４７】
図３（ａ）乃至（ｃ）に記載の実施態様は、物体が特にＰＶＣからなる単体で形成されている点で第一の実施態様と相違する。
【００４８】
図３（ｃ）に記載したように、パッケージの開始点は長方形のシート４であり、該シート４には折り目５乃至８を画定するための柔らかい複数の線が形成されている。シート４の大面１０の一面を熱作用で変形し、半円筒形の鞘１２を画定する。後は、シートを折り目５乃至８に沿って折り曲げ、縁９を介して長手方向の両端部に沿って接着すればよいだけである。その後、製品が他の実施態様と同様の方法でパッケージ１の中に配置される。
【００４９】この実施態様では、袖部２に含まれる製品３は染色キットである。熱成形された鞘１２に含まれる他方の製品１５は、リップスティックである。
【００５０】
上記の詳細な説明では、本発明の好適な実施形態について説明した。特許請求の範囲に記載した本発明の精神を逸脱しないでこれらの実施形態に変更を施すことができることは明らかである。
【図面の簡単な説明】
【図１】図１（ａ）及び（ｂ）は、本発明に係るパッケージの第一の実施形態の図である。
【図２】図２（ａ）及び（ｂ）は、本発明に係るパッケージの第二の実施形態の図である。
【図３】図３（ａ）乃至（ｃ）は、本発明に係るパッケージの第三の実施形態の図である。
【符号の説明】
１                パッケージ
２                袖部
３，１５          製品
４                可撓性シート
１３              開口部
【図１】
0003590798.tif 000002
【図２】
0003590798.tif 000003
【図３】
0003590798.tif 000004